【手続補正書】
【提出日】令和3年1月25日(2021.1.25)
【手続補正１】
【補正対象書類名】特許請求の範囲
【補正対象項目名】全文
【補正方法】変更
【補正の内容】
【特許請求の範囲】
【請求項１】
呼吸不全の対象の治療方法において、呼吸の改善及び／または調節及び／または回復、及び／または咳、気道の開存及び／または嚥下の促進のために使用するためのモノアミン作動性アゴニストであって、前記方法が、
呼吸を調節及び／または回復するか、及び／または咳及び／または気道の開存及び／または嚥下を促進するのに充分な周波数及び強度で、脳幹及び／または後頭下脊髄、頸髄もしくはその領域、及び／または胸髄もしくはその領域、及び／または腰髄もしくはその領域に経皮的電気刺激を付与することによって、前記対象の脳幹及び／または後頭下脊髄、頸髄、及び／または胸髄及び／または腰髄をニューロモデュレートすること、及び／または
呼吸を調節及び／または回復するか、及び／または咳及び／または気道の開存及び／または嚥下を促進するのに充分な周波数及び強度で、脳幹、及び／または後頭下脊髄、頸髄もしくはその領域、及び／または胸髄もしくはその領域、及び／または腰髄もしくはその領域に硬膜外刺激を付与することによって、対象の脳幹及び／または後頭下脊髄、頸髄、及び／または胸髄及び／または腰髄をニューロモデュレートすること、及び／または
呼吸を調節及び／または回復するか、及び／または咳及び／または気道の開存及び／または嚥下を促進するのに充分な周波数及び強度の磁気刺激装置で、前記対象の脳幹、及び／または後頭下脊髄、頸髄もしくはその領域、及び／または胸髄もしくはその領域、及び／または腰髄もしくはその領域をニューロモデュレートすること、
をさらに含む、モノアミン作動性アゴニスト。
【請求項２】
前記治療が、前記対象の呼吸を改善及び／または調節及び／または回復し、前記ニューロモデュレートが、前記対象の脳幹及び／または後頭下脊髄及び／または胸髄及び／または腰髄におけるものである、請求項１に記載のモノアミン作動性アゴニスト。
【請求項３】
前記治療が、前記対象において咳及び／または気道の確保を誘導または促進し、前記ニューロモデュレートが、前記対象の脳幹及び／または後頭下脊髄及び／または頚髄及び／または胸髄及び／または腰髄におけるものである、請求項１に記載のモノアミン作動性アゴニスト。
【請求項４】
前記治療が、前記対象において嚥下を誘導または促進し、前記ニューロモデュレートが、前記対象の脳幹及び／または後頭下脊髄及び／または頚髄及び／または胸髄及び／または腰髄におけるものである、請求項１に記載のモノアミン作動性アゴニスト。
【請求項５】
前記治療が、後頭下、及び／または脳幹もしくはその領域、頸髄もしくはその領域、及び／または胸髄もしくはその領域、及び／または腰髄もしくはその領域に、経皮的電気刺激を付与することを含む、請求項１〜４のいずれか１項に記載のモノアミン作動性アゴニスト。
【請求項６】
Ｃ０〜Ｃ１、Ｃ０〜Ｃ２、Ｃ０〜Ｃ３、Ｃ０〜Ｃ４、Ｃ０〜Ｃ５、Ｃ０〜Ｃ６、Ｃ０〜Ｃ７、Ｃ０〜Ｔ１、Ｃ１〜Ｃ１、Ｃ１〜Ｃ２、Ｃ１〜Ｃ３、Ｃ１〜Ｃ４、Ｃ１〜Ｃ７、Ｃ１〜Ｃ６、Ｃ１〜Ｃ７、Ｃ１〜Ｔ１、Ｃ２〜Ｃ２、Ｃ２〜Ｃ３、Ｃ２〜Ｃ４、Ｃ２〜Ｃ５、Ｃ２〜Ｃ６、Ｃ２〜Ｃ７、Ｃ２〜Ｔ１、Ｃ３〜Ｃ３、Ｃ３〜Ｃ４、Ｃ３〜Ｃ５、Ｃ３〜Ｃ６、Ｃ３〜Ｃ７、Ｃ３〜Ｔ１、Ｃ４〜Ｃ４、Ｃ４〜Ｃ５、Ｃ４〜Ｃ６、Ｃ４〜Ｃ７、Ｃ４〜Ｔ１、Ｃ５〜Ｃ５、Ｃ５〜Ｃ６、Ｃ５〜Ｃ７、Ｃ５〜Ｔ１、Ｃ６〜Ｃ６、Ｃ６〜Ｃ７、Ｃ６〜Ｔ１、Ｃ７〜Ｃ７及びＣ７〜Ｔ１からなる群から選択した領域にまたがるかまたはその領域に及ぶ１つ以上の領域にわたって、前記経皮的電気刺激を加える、請求項５に記載のモノアミン作動性アゴニスト。
【請求項７】
Ｔ１〜Ｔ１、Ｔ１〜Ｔ２、Ｔ１〜Ｔ３、Ｔ１〜Ｔ４、Ｔ１〜Ｔ５、Ｔ１〜Ｔ６、Ｔ１〜Ｔ７、Ｔ１〜Ｔ８、Ｔ１〜Ｔ９、Ｔ１〜Ｔ１０、Ｔ１〜Ｔ１１、Ｔ１〜Ｔ１２、Ｔ２〜Ｔ２、Ｔ２〜Ｔ３、Ｔ２〜Ｔ４、Ｔ２〜Ｔ５、Ｔ２〜Ｔ６、Ｔ２〜Ｔ７、Ｔ２〜Ｔ８、Ｔ２〜Ｔ９、Ｔ２〜Ｔ１０、Ｔ２〜Ｔ１１、Ｔ２〜Ｔ１２、Ｔ３〜Ｔ３、Ｔ３〜Ｔ４、Ｔ３〜Ｔ５、Ｔ３〜Ｔ６、Ｔ３〜Ｔ７、Ｔ３〜Ｔ８、Ｔ３〜Ｔ９、Ｔ３〜Ｔ１０、Ｔ３〜Ｔ１１、Ｔ３〜Ｔ１２、Ｔ４〜Ｔ４、Ｔ４〜Ｔ５、Ｔ４〜Ｔ６、Ｔ４〜Ｔ７、Ｔ４〜Ｔ８、Ｔ４〜Ｔ９、Ｔ４〜Ｔ１０、Ｔ４〜Ｔ１１、Ｔ４〜Ｔ１２、Ｔ５〜Ｔ５、Ｔ５〜Ｔ６、Ｔ５〜Ｔ７、Ｔ５〜Ｔ８、Ｔ５〜Ｔ９、Ｔ５〜Ｔ１０、Ｔ５〜Ｔ１１、Ｔ５〜Ｔ１２、Ｔ６〜Ｔ６、Ｔ６〜Ｔ７、Ｔ６〜Ｔ８、Ｔ６〜Ｔ９、Ｔ６〜Ｔ１０、Ｔ６〜Ｔ１１、Ｔ６〜Ｔ１２、Ｔ７〜Ｔ７、Ｔ７〜Ｔ８、Ｔ７〜Ｔ９、Ｔ７〜Ｔ１０、Ｔ７〜Ｔ１１、Ｔ７〜Ｔ１２、Ｔ８〜Ｔ８、Ｔ８〜Ｔ９、Ｔ８〜Ｔ１０、Ｔ８〜Ｔ１１、Ｔ８〜Ｔ１２、Ｔ９〜Ｔ９、Ｔ９〜Ｔ１０、Ｔ９〜Ｔ１１、Ｔ９〜Ｔ１２、Ｔ１０〜Ｔ１０、Ｔ１０〜Ｔ１１、Ｔ１０〜Ｔ１２、Ｔ１１〜Ｔ１１、Ｔ１１〜Ｔ１２及びＴ１２〜Ｔ１２からなる群から選択した領域にまたがるかまたはその領域に及ぶ１つ以上の領域にわたって、前記経皮的電気刺激を加える、請求項５に記載のモノアミン作動性アゴニスト。
【請求項８】
Ｌ１〜Ｌ１、Ｌ１〜Ｌ２、Ｌ１〜Ｌ３、Ｌ１〜Ｌ４、Ｌ１〜Ｌ５、Ｌ１〜Ｓ１、Ｌ１〜Ｓ２、Ｌ１〜Ｓ３、Ｌ１〜Ｓ４、Ｌ１〜Ｓ５、Ｌ２〜Ｌ２、Ｌ２〜Ｌ３、Ｌ２〜Ｌ４、Ｌ２〜Ｌ５、Ｌ２〜Ｓ１、Ｌ２〜Ｓ２、Ｌ２〜Ｓ３、Ｌ２〜Ｓ４、Ｌ２〜Ｓ５、Ｌ３〜Ｌ３、Ｌ３〜Ｌ４、Ｌ３〜Ｌ５、Ｌ３〜Ｓ１、Ｌ３〜Ｓ２、Ｌ３〜Ｓ３、Ｌ３〜Ｓ４、Ｌ３〜Ｓ５、Ｌ４〜Ｌ４、Ｌ４〜Ｌ５、Ｌ４〜Ｓ１、Ｌ４〜Ｓ２、Ｌ４〜Ｓ３、Ｌ４〜Ｓ４、Ｌ４〜Ｓ５、Ｌ５〜Ｌ５、Ｌ５〜Ｓ１、Ｌ５〜Ｓ２、Ｌ５〜Ｓ３、Ｌ５〜Ｓ４、Ｌ５〜Ｓ５、Ｓ１〜Ｓ１、Ｓ１〜Ｓ２、Ｓ１〜Ｓ３、Ｓ１〜Ｓ４、Ｓ１〜Ｓ５、Ｓ２〜Ｓ２、Ｓ２〜Ｓ３、Ｓ２〜Ｓ４、Ｓ２〜Ｓ５、Ｓ３〜Ｓ３、Ｓ３〜Ｓ４、Ｓ３〜Ｓ５、Ｓ４〜Ｓ４、Ｓ４〜Ｓ５及びＳ５〜Ｓ６からなる群から選択した領域にまたがるかまたはその領域に及ぶ１つ以上の領域にわたって、前記経皮的電気刺激を加える、請求項５に記載のモノアミン作動性アゴニスト。
【請求項９】
尾骨にわたって前記経皮的電気刺激を加える、請求項５に記載のモノアミン作動性アゴニスト。
【請求項１０】
前記経皮的電気刺激が、少なくとも約１Ｈｚ、少なくとも約２Ｈｚ、少なくとも約３Ｈｚ、少なくとも約４Ｈｚ、少なくとも約５Ｈｚ、少なくとも約１０Ｈｚ、少なくとも約２０Ｈｚ、少なくとも約３０Ｈｚ、少なくとも約４０Ｈｚ、少なくとも約５０Ｈｚ、少なくとも約６０Ｈｚ、少なくとも約７０Ｈｚ、少なくとも約８０Ｈｚ、少なくとも約９０Ｈｚ、少なくとも約１００Ｈｚ、少なくとも約２００Ｈｚ、少なくとも約３００Ｈｚ、少なくとも約４００Ｈｚ、少なくとも約５００Ｈｚ、少なくとも約１ｋＨｚ、少なくとも約１．５ｋＨｚ、少なくとも約２ｋＨｚ、少なくとも約２．５ｋＨｚ、少なくとも約５ｋＨｚ、少なくとも約１０ｋＨｚ、最大で約２５ｋＨｚ、最大で約５０ｋＨｚまたは最大で約１００ｋＨｚの周波数である、及び／または
前記経皮的電気刺激が、約１Ｈｚ、約２Ｈｚ、約３Ｈｚ、約４Ｈｚ、約５Ｈｚ、約１０Ｈｚ、約１０Ｈｚもしくは約１０Ｈｚ〜最大で約５００Ｈｚ、最大で約４００Ｈｚ、最大で約３００Ｈｚ、最大で約２００Ｈｚ、最大で約１００Ｈｚ、最大で約９０Ｈｚ、最大で約８０Ｈｚ、最大で約６０Ｈｚもしくは最大で約４０Ｈｚ、約３Ｈｚもしくは約５Ｈｚ〜最大で約８０Ｈｚ、または約５Ｈｚ〜約６０Ｈｚもしくは最大で約３０Ｈｚの範囲の周波数である、
請求項５〜９のいずれか１項に記載のモノアミン作動性アゴニスト。
【請求項１１】
呼吸パターンが見られないときには、呼吸を開始させるように、前記経皮的電気刺激が、約２０Ｈｚまたは約３０Ｈｚ〜約９０Ｈｚまたは約１００Ｈｚの範囲の周波数である、及び／または
呼吸パターンが見られるときには、前記経皮的電気刺激が、約５Ｈｚまたは約１０Ｈｚ〜最大で約９０Ｈｚまたは約１００Ｈｚの範囲の周波数である、
請求項５〜１０のいずれか１項に記載のモノアミン作動性アゴニスト。
【請求項１２】
前記経皮的電気刺激が、約５ｍＡもしくは約１０ｍＡ〜最大で約５００ｍＡ、約５ｍＡもしくは約１０ｍＡ〜最大で約４００ｍＡ、約５ｍＡもしくは約１０ｍＡ〜最大で約３００ｍＡ、約５ｍＡもしくは約１０ｍＡ〜最大で約２００ｍＡ、約５ｍＡもしくは約１０ｍＡ〜最大で約１５０ｍＡ、約５ｍＡもしくは約１０ｍＡ〜最大で約５０ｍＡ、約５ｍＡもしくは約１０ｍＡ〜最大で約１００ｍＡ、約５ｍＡもしくは約１０ｍＡ〜最大で約８０ｍＡ、約５ｍＡもしくは約１０ｍＡ〜最大で約６０ｍＡ、または約５ｍＡもしくは約１０ｍＡ〜最大で約５０ｍＡの範囲の強度である、及び／または
前記経皮的電気刺激が、幅が約１００μｓ〜最大で約１ｍｓ、最大で約８００μｓ、最大で約６００μｓ、最大で約５００μｓ、最大で約４００μｓ、最大で約３００μｓ、最大で約２００μｓもしくは最大で約１００μｓ、約１５０μｓ〜最大で約６００μｓ、約２００μｓ〜最大で約５００μｓ、または約２００μｓ〜最大で約４００μｓの範囲であるパルスを付与することを含む、及び／または
前記経皮的電気刺激が、安静時呼吸数と、前記対象の正常な１回換気量の少なくとも６０％、少なくとも７０％、少なくとも８０％または少なくとも９０％を回復するのに充分な周波数、パルス幅及び振幅である、請求項５〜１１のいずれか１項に記載のモノアミン作動性アゴニスト。
【請求項１３】
前記経皮的電気刺激を高周波キャリア信号に重畳する、請求項５〜１２のいずれか１項に記載のモノアミン作動性アゴニスト。
【請求項１４】
前記高周波キャリア信号が、約３ｋＨｚ、約５ｋＨｚまたは約８ｋＨｚ〜最大で約３０ｋＨｚ、最大で約２０ｋＨｚまたは最大で約１５ｋＨｚの範囲である、及び／または
前記キャリア周波数振幅が、約３０ｍＡ、約４０ｍＡ、約５０ｍＡ、約６０ｍＡ、約７０ｍＡまたは約８０ｍＡ〜最大で約３００ｍＡ、最大で約２００ｍＡまたは最大で約１５０ｍＡの範囲である、請求項１３に記載のモノアミン作動性アゴニスト。
【請求項１５】
前記方法が、後頭下脊髄、脳幹もしくはその領域、及び／または頸髄もしくはその領域、及び／または胸髄もしくはその領域、及び／または腰髄もしくはその領域に硬膜外刺激を付与することを含む、請求項１〜１４のいずれか１項に記載のモノアミン作動性アゴニスト。
【請求項１６】
Ｃ０〜Ｃ１、Ｃ０〜Ｃ２、Ｃ０〜Ｃ３、Ｃ０〜Ｃ４、Ｃ０〜Ｃ５、Ｃ０〜Ｃ６、Ｃ０〜Ｃ７、Ｃ０〜Ｔ１、Ｃ１〜Ｃ１、Ｃ１〜Ｃ２、Ｃ１〜Ｃ３、Ｃ１〜Ｃ４、Ｃ１〜Ｃ７、Ｃ１〜Ｃ６、Ｃ１〜Ｃ７、Ｃ１〜Ｔ１、Ｃ２〜Ｃ２、Ｃ２〜Ｃ３、Ｃ２〜Ｃ４、Ｃ２〜Ｃ５、Ｃ２〜Ｃ６、Ｃ２〜Ｃ７、Ｃ２〜Ｔ１、Ｃ３〜Ｃ３、Ｃ３〜Ｃ４、Ｃ３〜Ｃ５、Ｃ３〜Ｃ６、Ｃ３〜Ｃ７、Ｃ３〜Ｔ１、Ｃ４〜Ｃ４、Ｃ４〜Ｃ５、Ｃ４〜Ｃ６、Ｃ４〜Ｃ７、Ｃ４〜Ｔ１、Ｃ５〜Ｃ５、Ｃ５〜Ｃ６、Ｃ５〜Ｃ７、Ｃ５〜Ｔ１、Ｃ６〜Ｃ６、Ｃ６〜Ｃ７、Ｃ６〜Ｔ１、Ｃ７〜Ｃ７及びＣ７〜Ｔ１からなる群から選択した領域にまたがるかまたはその領域に及ぶ１つ以上の領域に、前記硬膜外電気刺激を加える、請求項１５に記載のモノアミン作動性アゴニスト。
【請求項１７】
Ｔ１〜Ｔ１、Ｔ１〜Ｔ２、Ｔ１〜Ｔ３、Ｔ１〜Ｔ４、Ｔ１〜Ｔ５、Ｔ１〜Ｔ６、Ｔ１〜Ｔ７、Ｔ１〜Ｔ８、Ｔ１〜Ｔ９、Ｔ１〜Ｔ１０、Ｔ１〜Ｔ１１、Ｔ１〜Ｔ１２、Ｔ２〜Ｔ２、Ｔ２〜Ｔ３、Ｔ２〜Ｔ４、Ｔ２〜Ｔ５、Ｔ２〜Ｔ６、Ｔ２〜Ｔ７、Ｔ２〜Ｔ８、Ｔ２〜Ｔ９、Ｔ２〜Ｔ１０、Ｔ２〜Ｔ１１、Ｔ２〜Ｔ１２、Ｔ３〜Ｔ３、Ｔ３〜Ｔ４、Ｔ３〜Ｔ５、Ｔ３〜Ｔ６、Ｔ３〜Ｔ７、Ｔ３〜Ｔ８、Ｔ３〜Ｔ９、Ｔ３〜Ｔ１０、Ｔ３〜Ｔ１１、Ｔ３〜Ｔ１２、Ｔ４〜Ｔ４、Ｔ４〜Ｔ５、Ｔ４〜Ｔ６、Ｔ４〜Ｔ７、Ｔ４〜Ｔ８、Ｔ４〜Ｔ９、Ｔ４〜Ｔ１０、Ｔ４〜Ｔ１１、Ｔ４〜Ｔ１２、Ｔ５〜Ｔ５、Ｔ５〜Ｔ６、Ｔ５〜Ｔ７、Ｔ５〜Ｔ８、Ｔ５〜Ｔ９、Ｔ５〜Ｔ１０、Ｔ５〜Ｔ１１、Ｔ５〜Ｔ１２、Ｔ６〜Ｔ６、Ｔ６〜Ｔ７、Ｔ６〜Ｔ８、Ｔ６〜Ｔ９、Ｔ６〜Ｔ１０、Ｔ６〜Ｔ１１、Ｔ６〜Ｔ１２、Ｔ７〜Ｔ７、Ｔ７〜Ｔ８、Ｔ７〜Ｔ９、Ｔ７〜Ｔ１０、Ｔ７〜Ｔ１１、Ｔ７〜Ｔ１２、Ｔ８〜Ｔ８、Ｔ８〜Ｔ９、Ｔ８〜Ｔ１０、Ｔ８〜Ｔ１１、Ｔ８〜Ｔ１２、Ｔ９〜Ｔ９、Ｔ９〜Ｔ１０、Ｔ９〜Ｔ１１、Ｔ９〜Ｔ１２、Ｔ１０〜Ｔ１０、Ｔ１０〜Ｔ１１、Ｔ１０〜Ｔ１２、Ｔ１１〜Ｔ１１、Ｔ１１〜Ｔ１２及びＴ１２〜Ｔ１２からなる群から選択した領域にまたがるかまたはその領域に及ぶ１つ以上の領域に、前記硬膜外電気刺激を加える、請求項１５に記載のモノアミン作動性アゴニスト。
【請求項１８】
Ｌ１〜Ｌ１、Ｌ１〜Ｌ２、Ｌ１〜Ｌ３、Ｌ１〜Ｌ４、Ｌ１〜Ｌ５、Ｌ１〜Ｓ１、Ｌ１〜Ｓ２、Ｌ１〜Ｓ３、Ｌ１〜Ｓ４、Ｌ１〜Ｓ５、Ｌ２〜Ｌ２、Ｌ２〜Ｌ３、Ｌ２〜Ｌ４、Ｌ２〜Ｌ５、Ｌ２〜Ｓ１、Ｌ２〜Ｓ２、Ｌ２〜Ｓ３、Ｌ２〜Ｓ４、Ｌ２〜Ｓ５、Ｌ３〜Ｌ３、Ｌ３〜Ｌ４、Ｌ３〜Ｌ５、Ｌ３〜Ｓ１、Ｌ３〜Ｓ２、Ｌ３〜Ｓ３、Ｌ３〜Ｓ４、Ｌ３〜Ｓ５、Ｌ４〜Ｌ４、Ｌ４〜Ｌ５、Ｌ４〜Ｓ１、Ｌ４〜Ｓ２、Ｌ４〜Ｓ３、Ｌ４〜Ｓ４、Ｌ４〜Ｓ５、Ｌ５〜Ｌ５、Ｌ５〜Ｓ１、Ｌ５〜Ｓ２、Ｌ５〜Ｓ３、Ｌ５〜Ｓ４、Ｌ５〜Ｓ５、Ｓ１〜Ｓ１、Ｓ１〜Ｓ２、Ｓ１〜Ｓ３、Ｓ１〜Ｓ４、Ｓ１〜Ｓ５、Ｓ２〜Ｓ２、Ｓ２〜Ｓ３、Ｓ２〜Ｓ４、Ｓ２〜Ｓ５、Ｓ３〜Ｓ３、Ｓ３〜Ｓ４、Ｓ３〜Ｓ５、Ｓ４〜Ｓ４、Ｓ４〜Ｓ５及びＳ５〜Ｓ６からなる群から選択した領域にまたがるかまたはその領域に及ぶ１つ以上の領域に、前記硬膜外電気刺激を加える、請求項１５に記載のモノアミン作動性アゴニスト。
【請求項１９】
前記治療が、尾骨に硬膜外刺激を付与することを含む、請求項１５に記載のモノアミン作動性アゴニスト。
【請求項２０】
前記硬膜外刺激が、少なくとも約１Ｈｚ、少なくとも約２Ｈｚ、少なくとも約３Ｈｚ、少なくとも約４Ｈｚ、少なくとも約５Ｈｚ、少なくとも約１０Ｈｚ、少なくとも約２０Ｈｚ、少なくとも約３０Ｈｚ、少なくとも約４０Ｈｚ、少なくとも約５０Ｈｚ、少なくとも約６０Ｈｚ、少なくとも約７０Ｈｚ、少なくとも約８０Ｈｚ、少なくとも約９０Ｈｚ、少なくとも約１００Ｈｚ、少なくとも約２００Ｈｚ、少なくとも約３００Ｈｚ、少なくとも約４００Ｈｚ、少なくとも約５００Ｈｚ、少なくとも約１ｋＨｚ、少なくとも約１．５ｋＨｚ、少なくとも約２ｋＨｚ、少なくとも約２．５ｋＨｚ、少なくとも約５ｋＨｚ、少なくとも約１０ｋＨｚ、最大で約２５ｋＨｚ、最大で約５０ｋＨｚまたは最大で約１００ｋＨｚの周波数である、及び／または
前記硬膜外刺激が、約１Ｈｚ、約２Ｈｚ、約３Ｈｚ、約４Ｈｚ、約５Ｈｚ、約１０Ｈｚ、約１５Ｈｚ、約３０Ｈｚ〜最大で約５００Ｈｚ、最大で約４００Ｈｚ、最大で約３００Ｈｚ、最大で約２００Ｈｚ、最大で約１００Ｈｚ、最大で約９０Ｈｚ、最大で約８０Ｈｚ、最大で約６０Ｈｚ、最大で約４０Ｈｚ、最大で約３５Ｈｚ、最大で約３０Ｈｚ、約３Ｈｚもしくは約５Ｈｚ〜最大で約８０Ｈｚ、または約５Ｈｚ〜約６０Ｈｚもしくは最大で約３０Ｈｚの範囲の周波数である、
請求項１５〜１９のいずれか１項に記載のモノアミン作動性アゴニスト。
【請求項２１】
呼吸パターンが見られないときには、呼吸を開始させるように、前記硬膜外刺激が、約２０Ｈｚまたは約３０Ｈｚ〜約９０Ｈｚまたは約１００Ｈｚの範囲の周波数である、及び／または
呼吸パターンが見られるときには、前記硬膜外刺激が、約５Ｈｚまたは約１０Ｈｚ〜最大で約９０Ｈｚまたは約１００Ｈｚの範囲の周波数である、請求項１５〜２０のいずれか１項に記載のモノアミン作動性アゴニスト。
【請求項２２】
前記硬膜外刺激が、０．５ｍＡ、約１ｍＡ、約２ｍＡ、約３ｍＡ、約４ｍＡもしくは約５ｍＡ〜最大で約５０ｍＡ、最大で約３０ｍＡ、最大で約２０ｍＡもしくは最大で約１５ｍＡ、約５ｍＡ〜約２０ｍＡ、または約５ｍＡ〜最大で約１５ｍＡの範囲の振幅である、及び／または
前記硬膜外刺激が、約１００μｓ〜最大で約１ｍｓ、最大で約８００μｓ、最大で約６００μｓ、最大で約５００μｓ、最大で約４００μｓ、最大で約３００μｓ、最大で約２００μｓもしくは最大で約１００μｓ、約１５０μｓ〜最大で約６００μｓ、約２００μｓ〜最大で約５００μｓ、または約２００μｓ〜最大で約４００μｓの範囲であるパルス幅のパルスを印加することを含む、及び／または
前記硬膜外刺激が、安静時呼吸数と、前記対象の正常な１回換気量の少なくとも６０％、少なくとも７０％、少なくとも８０％または少なくとも９０％を回復するのに充分な周波数、パルス幅及び振幅である、
請求項１５〜２１のいずれか１項に記載のモノアミン作動性アゴニスト。
【請求項２３】
後根に硬膜外刺激を加える、請求項１５〜２２のいずれか１項に記載のモノアミン作動性アゴニスト。
【請求項２４】
前根に硬膜外刺激を加える、請求項１５〜２３のいずれか１項に記載のモノアミン作動性アゴニスト。
【請求項２５】
前記治療が磁気刺激装置によって、前記対象の後頭下脊髄、脳幹もしくはその領域、及び／または頸髄もしくはその領域、及び／または胸髄もしくはその領域、及び／または腰髄もしくはその領域をニューロモデュレートすることを含む、請求項１〜２４のいずれか１項に記載のモノアミン作動性アゴニスト。
【請求項２６】
前記治療が、Ｃ０〜Ｃ１、Ｃ０〜Ｃ２、Ｃ０〜Ｃ３、Ｃ０〜Ｃ４、Ｃ０〜Ｃ５、Ｃ０〜Ｃ６、Ｃ０〜Ｃ７、Ｃ０〜Ｔ１、Ｃ１〜Ｃ１、Ｃ１〜Ｃ２、Ｃ１〜Ｃ３、Ｃ１〜Ｃ４、Ｃ１〜Ｃ７、Ｃ１〜Ｃ６、Ｃ１〜Ｃ７、Ｃ１〜Ｔ１、Ｃ２〜Ｃ２、Ｃ２〜Ｃ３、Ｃ２〜Ｃ４、Ｃ２〜Ｃ５、Ｃ２〜Ｃ６、Ｃ２〜Ｃ７、Ｃ２〜Ｔ１、Ｃ３〜Ｃ３、Ｃ３〜Ｃ４、Ｃ３〜Ｃ５、Ｃ３〜Ｃ６、Ｃ３〜Ｃ７、Ｃ３〜Ｔ１、Ｃ４〜Ｃ４、Ｃ４〜Ｃ５、Ｃ４〜Ｃ６、Ｃ４〜Ｃ７、Ｃ４〜Ｔ１、Ｃ５〜Ｃ５、Ｃ５〜Ｃ６、Ｃ５〜Ｃ７、Ｃ５〜Ｔ１、Ｃ６〜Ｃ６、Ｃ６〜Ｃ７、Ｃ６〜Ｔ１、Ｃ７〜Ｃ７及びＣ７〜Ｔ１からなる群から選択した領域に磁気神経刺激を付与することを含む、請求項２５に記載のモノアミン作動性アゴニスト。
【請求項２７】
前記治療が、Ｔ１〜Ｔ１、Ｔ１〜Ｔ２、Ｔ１〜Ｔ３、Ｔ１〜Ｔ４、Ｔ１〜Ｔ５、Ｔ１〜Ｔ６、Ｔ１〜Ｔ７、Ｔ１〜Ｔ８、Ｔ１〜Ｔ９、Ｔ１〜Ｔ１０、Ｔ１〜Ｔ１１、Ｔ１〜Ｔ１２、Ｔ２〜Ｔ２、Ｔ２〜Ｔ３、Ｔ２〜Ｔ４、Ｔ２〜Ｔ５、Ｔ２〜Ｔ６、Ｔ２〜Ｔ７、Ｔ２〜Ｔ８、Ｔ２〜Ｔ９、Ｔ２〜Ｔ１０、Ｔ２〜Ｔ１１、Ｔ２〜Ｔ１２、Ｔ３〜Ｔ３、Ｔ３〜Ｔ４、Ｔ３〜Ｔ５、Ｔ３〜Ｔ６、Ｔ３〜Ｔ７、Ｔ３〜Ｔ８、Ｔ３〜Ｔ９、Ｔ３〜Ｔ１０、Ｔ３〜Ｔ１１、Ｔ３〜Ｔ１２、Ｔ４〜Ｔ４、Ｔ４〜Ｔ５、Ｔ４〜Ｔ６、Ｔ４〜Ｔ７、Ｔ４〜Ｔ８、Ｔ４〜Ｔ９、Ｔ４〜Ｔ１０、Ｔ４〜Ｔ１１、Ｔ４〜Ｔ１２、Ｔ５〜Ｔ５、Ｔ５〜Ｔ６、Ｔ５〜Ｔ７、Ｔ５〜Ｔ８、Ｔ５〜Ｔ９、Ｔ５〜Ｔ１０、Ｔ５〜Ｔ１１、Ｔ５〜Ｔ１２、Ｔ６〜Ｔ６、Ｔ６〜Ｔ７、Ｔ６〜Ｔ８、Ｔ６〜Ｔ９、Ｔ６〜Ｔ１０、Ｔ６〜Ｔ１１、Ｔ６〜Ｔ１２、Ｔ７〜Ｔ７、Ｔ７〜Ｔ８、Ｔ７〜Ｔ９、Ｔ７〜Ｔ１０、Ｔ７〜Ｔ１１、Ｔ７〜Ｔ１２、Ｔ８〜Ｔ８、Ｔ８〜Ｔ９、Ｔ８〜Ｔ１０、Ｔ８〜Ｔ１１、Ｔ８〜Ｔ１２、Ｔ９〜Ｔ９、Ｔ９〜Ｔ１０、Ｔ９〜Ｔ１１、Ｔ９〜Ｔ１２、Ｔ１０〜Ｔ１０、Ｔ１０〜Ｔ１１、Ｔ１０〜Ｔ１２、Ｔ１１〜Ｔ１１、Ｔ１１〜Ｔ１２及びＴ１２〜Ｔ１２からなる群から選択した領域に磁気神経刺激を付与することを含む、請求項２５に記載のモノアミン作動性アゴニスト。
【請求項２８】
前記治療が、Ｌ１〜Ｌ１、Ｌ１〜Ｌ２、Ｌ１〜Ｌ３、Ｌ１〜Ｌ４、Ｌ１〜Ｌ５、Ｌ１〜Ｓ１、Ｌ１〜Ｓ２、Ｌ１〜Ｓ３、Ｌ１〜Ｓ４、Ｌ１〜Ｓ５、Ｌ２〜Ｌ２、Ｌ２〜Ｌ３、Ｌ２〜Ｌ４、Ｌ２〜Ｌ５、Ｌ２〜Ｓ１、Ｌ２〜Ｓ２、Ｌ２〜Ｓ３、Ｌ２〜Ｓ４、Ｌ２〜Ｓ５、Ｌ３〜Ｌ３、Ｌ３〜Ｌ４、Ｌ３〜Ｌ５、Ｌ３〜Ｓ１、Ｌ３〜Ｓ２、Ｌ３〜Ｓ３、Ｌ３〜Ｓ４、Ｌ３〜Ｓ５、Ｌ４〜Ｌ４、Ｌ４〜Ｌ５、Ｌ４〜Ｓ１、Ｌ４〜Ｓ２、Ｌ４〜Ｓ３、Ｌ４〜Ｓ４、Ｌ４〜Ｓ５、Ｌ５〜Ｌ５、Ｌ５〜Ｓ１、Ｌ５〜Ｓ２、Ｌ５〜Ｓ３、Ｌ５〜Ｓ４、Ｌ５〜Ｓ５、Ｓ１〜Ｓ１、Ｓ１〜Ｓ２、Ｓ１〜Ｓ３、Ｓ１〜Ｓ４、Ｓ１〜Ｓ５、Ｓ２〜Ｓ２、Ｓ２〜Ｓ３、Ｓ２〜Ｓ４、Ｓ２〜Ｓ５、Ｓ３〜Ｓ３、Ｓ３〜Ｓ４、Ｓ３〜Ｓ５、Ｓ４〜Ｓ４、Ｓ４〜Ｓ５及びＳ５〜Ｓ６からなる群から選択した領域に磁気神経刺激を付与することを含む、請求項２５に記載のモノアミン作動性アゴニスト。
【請求項２９】
前記治療が、尾骨に磁気神経刺激を付与することを含む、請求項２５に記載のモノアミン作動性アゴニスト。
【請求項３０】
前記磁気刺激が、少なくとも１テスラ、少なくとも２テスラ、少なくとも３テスラまたは少なくとも４テスラの磁界を生成する、請求項２５〜２９のいずれか１項に記載のモノアミン作動性アゴニスト。
【請求項３１】
前記磁気刺激が、少なくとも約１Ｈｚ、少なくとも約２Ｈｚ、少なくとも約３Ｈｚ、少なくとも約４Ｈｚ、少なくとも約５Ｈｚ、少なくとも約１０Ｈｚ、少なくとも約２０Ｈｚ、少なくとも約３０Ｈｚ、少なくとも約４０Ｈｚ、少なくとも約５０Ｈｚ、少なくとも約６０Ｈｚ、少なくとも約７０Ｈｚ、少なくとも約８０Ｈｚ、少なくとも約９０Ｈｚ、少なくとも約１００Ｈｚ、少なくとも約２００Ｈｚ、少なくとも約３００Ｈｚ、少なくとも約４００Ｈｚまたは少なくとも約５００Ｈｚの周波数である、及び／または
前記磁気刺激が、約１Ｈｚ、約２Ｈｚ、約３Ｈｚ、約４Ｈｚ、約５Ｈｚ、約１０Ｈｚ、約１０Ｈｚもしくは約１０Ｈｚ〜最大で約５００Ｈｚ、最大で約４００Ｈｚ、最大で約３００Ｈｚ、最大で約２００Ｈｚ、最大で約１００Ｈｚ、最大で約９０Ｈｚ、最大で約８０Ｈｚ、最大で約６０Ｈｚもしくは最大で約４０Ｈｚ、約３Ｈｚもしくは約５Ｈｚ〜最大で約８０Ｈｚ、または約５Ｈｚ〜約６０Ｈｚもしくは最大で約３０Ｈｚの範囲の周波数である、
請求項２５〜３０のいずれか１項に記載のモノアミン作動性アゴニスト。
【請求項３２】
呼吸パターンが見られないときには、呼吸を開始させるように、前記磁気刺激が、約２０Ｈｚまたは約３０Ｈｚ〜約９０Ｈｚまたは約１００Ｈｚの範囲の周波数である、及び／または
呼吸パターンが見られるときには、前記磁気刺激が、約５Ｈｚまたは約１０Ｈｚ〜最大で約９０Ｈｚまたは約１００Ｈｚの範囲の周波数である、及び／または
前記磁気刺激が、安静時呼吸数と、前記対象の正常な１回換気量の少なくとも６０％、少なくとも７０％、少なくとも８０％または少なくとも９０％を回復するのに充分な周波数、振幅及び向きである、
請求項２５〜３１のいずれか１項に記載のモノアミン作動性アゴニスト。
【請求項３３】
呼吸不全が、脊髄損傷、虚血性脳損傷又は神経変性障害によるものである、請求項１〜３２のいずれか１項に記載のモノアミン作動性アゴニスト。
【請求項３４】
前記脊髄損傷が、臨床的に運動完全損傷として分類されている、請求項３３に記載のモノアミン作動性アゴニスト。
【請求項３５】
前記脊髄損傷が、臨床的に運動不完全損傷として分類されている、請求項３３に記載のモノアミン作動性アゴニスト。
【請求項３６】
前記呼吸不全が、神経変性障害によるものであり、前記神経変性障害が、パーキンソン病、ハンチントン病、アルツハイマー病、筋萎縮性側索硬化症（ＡＬＳ）、先天性中枢性低換気症候群（ＣＣＨＳ）、原発性側索硬化症（ＰＬＳ）、ジストニア及び脳性麻痺からなる群から選択した状態と関連するものである、請求項３３に記載のモノアミン作動性アゴニスト。
【請求項３７】
前記治療が、乳児突然死症候群（ＳＩＤＳ）のリスクを持っている対象、呼吸駆動の低下した集中治療室患者、急性呼吸窮迫症候群（ＡＲＤＳ）、急性呼吸不全による呼吸不全を有する対象、又はアルコール中毒及び／もしくは薬物過剰摂取による呼吸不全を有する対象、
のためのものである、請求項１〜３６のいずれか１項に記載のモノアミン作動性アゴニスト。
【請求項３８】
前記少なくとも１つのモノアミン作動性アゴニストが、セロトニン作動薬、ドーパミン作動薬、ノルアドレナリン作動薬、ＧＡＢＡ作動薬及びグリシン作動薬からなる群から選択した薬剤を含む、請求項１〜３７のいずれか１項に記載のモノアミン作動性アゴニスト。
【請求項３９】
前記薬剤が、８−ヒドロキシ−２−（ジ−ｎ−プロピルアミノ）テトラリン（８−ＯＨ−ＤＰＡＴ）、４−（ベンゾジオキサン−５−イル）１−（インダン−２−イル）ピペラジン（Ｓ１５５３５）、Ｎ−｛２−［４−（２−メトキシフェニル）−１−ピペラジニル］エチル｝−Ｎ−（２−ピリジニル）シクロ−ヘキサンカルボキサミド（ＷＡＹ１００．６３５）、キパジン、ケタンセリン、４−アミノ−（６−クロロ−２−ピリジル）−１ピペリジンハイドロクロライド（ＳＲ５７２２７Ａ）、オンダンセトロン、ブスピロン、メトキサミン、プラゾシン、クロニジン、ヨヒンビン、６−クロロ−１−フェニル−２，３，４，５−テトラヒドロ−１Ｈ−３−ベンザゼピン−７，８−ジオール（ＳＫＦ−８１２９７）、７−クロロ−３−メチル−１−フェニル−１，２，４，５−テトラヒドロ−３−ベンザゼピン−８−オール（ＳＣＨ−２３３９０）、キンピロール及びエチクロプリドからなる群から選択されている、請求項３８に記載のモノアミン作動性アゴニスト。
【請求項４０】
請求項１〜３９のいずれか１項に定義された治療において使用される、経皮的電気刺激用に構成されている刺激装置であって、
携帯型であり、かつ
高周波キャリア信号に重畳した経皮的電気刺激用信号を供給する前記刺激装置。
【請求項４１】
刺激周波数、刺激振幅、刺激パルス幅からなる群から選択した１つ以上のパラメーターに対するユーザー制御性を備える、請求項４０に記載の刺激装置。
【請求項４２】
キャリア信号周波数、キャリア信号振幅及びキャリア信号パルス幅からなる群から選択した１つ以上のパラメーターに対するユーザー制御性を備える、請求項４０又は４１に記載の刺激装置。
【請求項４３】
心拍数モニター及び／または呼吸モニターから信号を受け取り、心拍数及び／または呼吸パターンの変化に応じて、呼吸パラメーターを調整するように構成されている、請求項４０〜４２のいずれか１項に記載の刺激装置。
【請求項４４】
前記刺激装置の１つ以上の制御機能によって制御する、又は遠隔制御する、又はコンピューター、スマートフォンまたはタブレットのアプリケーションによって制御する、又は  音声で制御する（例えば、１つ以上の刺激パラメーターを制御する）、請求項４０〜４３のいずれか１項に記載の刺激装置。
【請求項４５】
刺激チャネルを１個、２個、３個、４個、５個、６個、７個、８個、またはそれを超える数を備える、請求項４０〜４４のいずれか１項に記載の刺激装置。
【請求項４６】
呼吸不全の対象の呼吸を改善及び／または調節及び／または回復する周波数及び振幅で、対象の脳幹及び／または後頭下脊髄及び／または頸椎領域において、及び／または胸椎領域において、及び／または腰椎領域において、硬膜外及び／または経皮的電気刺激及び／または磁気刺激を誘導するように構成されている刺激装置と、
胸壁の運動及び／または拡張を検出するセンサー、血液Ｏ２飽和度を検出するセンサー、ならびに呼気終末ＣＯ２を求めるセンサーからなる群から選択した１つ以上のセンサーと、
を備えるシステムであって、
前記センサーの出力が、前記刺激装置に結合され、そのセンサーの出力に応じて、前記刺激装置が、その刺激パターンを調整して、所望の１回換気量及び／またはＯ２飽和度及び／または呼気終末ＣＯ２をもたらす前記システム。
【請求項４７】
前記刺激装置が、前記脊髄の硬膜外刺激を誘導するように構成されている、請求項４６に記載のシステム。
【請求項４８】
前記刺激装置が、前記脊髄の経皮的刺激を誘導するように構成されている、請求項４６に記載のシステム。
【請求項４９】
前記刺激装置が、前記脊髄の磁気刺激を誘導するように構成されている、請求項４６に記載のシステム。
【請求項５０】
前記システムが、胸壁の運動及び／または拡張を検出するセンサーを備える、請求項４６〜４９のいずれか１項に記載のシステム。
【請求項５１】
前記センサーが、胸郭の運動を測定するデバイスを備える、請求項５０に記載のシステム。
【請求項５２】
前記センサーが、インダクタンスバンドを備える、請求項５１に記載のシステム。
【請求項５３】
脊髄を損傷した脳梗塞の対象、呼吸に問題のあるＡＬＳ患者などのための刺激装置を備える、請求項４６〜５２のいずれか１項に記載のシステム。
【請求項５４】
呼吸機能を回復するか、または人工呼吸器からのウィーニングを促す目的で、急性呼吸不全のＩＣＵ／救急処置患者のための刺激装置を備える、請求項４６〜５２のいずれか１項に記載のシステム。
【請求項５５】
薬物中毒の対象で用いるように構成されており、及び／または乳児突然死症候群（ＳＩＤＳ）のリスクを持っている対象用に構成されている、請求項４６〜５２のいずれか１項に記載のシステム。
【請求項５６】
呼吸駆動の低下したＳＩＤＳまたはＩＣＵ患者用の磁気または経皮的電気刺激装置を備える、請求項４６〜５２のいずれか１項に記載のシステム。
【請求項５７】
レスピレーターからの対象の離脱方法であって、
請求項１〜３９のいずれか１項に記載のモノアミン作動性アゴニストを使用している及び／または請求項４６〜５６のいずれか１項に記載のシステムを使用している対象において、前記レスピレーター（ベンチレーター）から離脱させながら、及び／または前記対象を前記レスピレーターから離脱させた後に、前記対象の呼吸を誘導または維持すること
を含む前記方法。